(57)【要約】【課題】  放電による有効成分を大量に且つ安定的に生成して利用することのできる照明器具を提供する。【解決手段】  筐体２内に光源３を収容して用いる照明器具本体１に、放電により有効成分を発生させる有効成分発生装置５０を備えて成る照明器具とする。上記有効成分発生装置５０は、マイクロプラズマ放電によって大量の有効成分を生成して放出するものである。【選択図】  図１
2010198874.tif 000002
【特許請求の範囲】
【請求項１】
筐体内に光源を収容して用いる照明器具本体に、放電により有効成分を発生させる有効成分発生装置を備えて成る照明器具であって、上記有効成分発生装置は、放電を生じる有効成分発生部と、該有効成分発生部を配置する有効成分発生用風路とから成り、上記有効成分発生部は、電極部と、電極部に密着して又は近傍に配置される絶縁スペーサとを備え、電極部に高電圧を印加することで、絶縁スペーサに沿って形成される微小な放電空間内において放電を生じさせるものであり、上記有効成分発生用風路は、上記有効成分発生部に送り込まれる送風が、放電空間と電極部の外周面とを共に通過するように形成したものであることを特徴とする照明器具。
【請求項２】
上記有効成分発生部の放電空間は、絶縁スペーサに設けた貫通孔と、絶縁スペーサと電極部の間に形成される隙間の、両方又は一方であることを特徴とする請求項１記載の照明器具。
【請求項３】
上記照明器具本体は、天井から吊り下げた状態で用いる天井吊り下げ型照明器具本体であり、上記有効成分発生装置は、上記筐体の天井と対向する外面上に設置したものであることを特徴とする請求項１又は２記載の照明器具。
【請求項４】
上記有効成分発生装置は、生成した有効成分を照明器具本体の筐体外に向けて放出するものであることを特徴とする請求項１〜３のいずれか一項記載の照明器具。
【請求項５】
上記有効成分発生装置は、生成した有効成分を照明器具本体の筐体内に向けて放出するものであることを特徴とする請求項１〜３のいずれか一項記載の照明器具。
【請求項６】
上記有効成分発生装置から有効成分を放出する方向を、照明器具本体の筐体内に向かう方向と筐体外に向かう方向とで切り替える放出方向切替機構を備えることを特徴とする請求項１〜３のいずれか一項記載の照明器具。
【請求項７】
上記放出方向切替機構は、光源の点灯状態に基づいて有効成分の放出方向を切り替えるものであることを具備することを特徴とする請求項６記載の照明器具。
【請求項８】
上記照明器具本体の筐体には、該筐体内を経由したうえで該筐体外に有効成分を放出する放出口を設けていることを特徴とする請求項５〜７のいずれか一項記載の照明器具。
【請求項９】
上記有効成分発生装置は、上記放電空間の下流側に連通する液溜め部と、液溜め部内に貯留される液体を霧化または気化させる手段とを備えたものであることを特徴とする請求項１〜８のいずれか一項記載の照明器具。
【発明の詳細な説明】
【技術分野】
【０００１】
本発明は、有効成分発生装置を備えた照明器具に関する。
【背景技術】
【０００２】
脱臭、除菌等の機能を有する照明器具として、特許文献１には、有効成分を発生させるための放電ブロックを備えた照明器具が記載されている。上記照明器具に備えてある放電ブロックは、放電極と対向電極との間でコロナ放電を生じさせ、該コロナ放電によってラジカル等の有効成分を発生させる構造である。
【０００３】
しかし、上記コロナ放電を用いた方式では、発生させることのできる有効成分の量に限界があり、脱臭、除菌等を更に効果的に行いたい場合には、有効成分の発生量が十分でないという問題があった。
【先行技術文献】
【特許文献】
【０００４】
【特許文献１】実用新案登録第３１０３３１２号公報
【発明の概要】
【発明が解決しようとする課題】
【０００５】
本発明は上記問題点に鑑みて発明したものであって、放電による有効成分を大量に且つ安定的に生成して利用することのできる照明器具を提供することを、課題とする。
【課題を解決するための手段】
【０００６】
上記課題を解決するために本発明を、筐体２内に光源３を収容して用いる照明器具本体１に、放電により有効成分を発生させる有効成分発生装置５０を備えて成る照明器具とする。上記有効成分発生装置５０は、放電を生じる有効成分発生部５６と、該有効成分発生部５６を配置する有効成分発生用風路５４とから成る。上記有効成分発生部５６は、電極部５８と、電極部５８に密着して又は近傍に配置される絶縁スペーサ５７とを備え、電極部５８に高電圧を印加することで、絶縁スペーサ５７に沿って形成される微小な放電空間Ｓ内において放電を生じさせるものである。上記有効成分発生用風路５４は、上記有効成分発生部５６に送り込まれる送風が、放電空間Ｓと電極部５８の外周面とを共に通過するように形成したものである。
【０００７】
このようにすることで、有効成分発生装置５０の有効成分発生部５６において、微小な放電空間Ｓ内で高密度のプラズマを発生させ、大量の有効成分を発生させることができる。しかも、有効成分発生部５６に送り込む送風によって、放電空間Ｓ内で大量に生成した有効成分を下流側に順次送り出すことと、高温の電極部５８を効率的に放熱させることとが共に達成できる。したがって、大量の有効成分を長時間安定して発生および吐出させることが可能となる。
【０００８】
本発明の照明器具において、上記有効成分発生部５６の放電空間Ｓは、絶縁スペーサ５７に設けた貫通孔６０と、絶縁スペーサ５７と電極部５８の間に形成される隙間５９の、両方又は一方であることが好適である。このようにすることで、貫通孔６０や隙間５９の組み合わせによって、放電を生じさせるための放電空間Ｓを、高い自由度で設定することが可能となる。
【０００９】
また、本発明の照明器具において、上記照明器具本体１は、天井Ｃから吊り下げた状態で用いる天井吊り下げ型照明器具本体であり、上記有効成分発生装置５０は、上記筐体２の天井Ｃと対向する外面４上に設置したものであることが好適である。このようにすることで、天井Ｃとの間に形成されるデッドスペースを利用して有効成分発生装置５０を配置することができる。そして、下方から見上げたときには有効成分発生装置５０が筐体２の裏側に隠れるので、照明器具としての違和感を与えることもない。加えて、後述のように外部に向けて有効成分を放出させた場合には、天井Ｃ近くのスペースから室内空間全体に広く有効成分を拡散させることができる。
【００１０】
上記有効成分発生装置５０は、生成した有効成分を照明器具本体１の筐体２外に向けて放出するものであることが好適である。このようにすることで、室内空間全体に有効成分を行き渡らせ、例えば室内空気や室内壁面の付着物に対して、脱臭、除菌、アレルゲン物質の除去等を行うことができる。
【００１１】
また、上記有効成分発生装置５０は、生成した有効成分を照明器具本体１の筐体２内に向けて放出するものであることも好適である。このようにすることで、筐体２内の壁面や光源３に対する脱臭、除菌、アレルゲン物質の除去等の効果や、筐体２内の害虫忌避といった効果が得られる。
【００１２】
また、上記有効成分発生装置５０から有効成分を放出する方向を、照明器具本体１の筐体２内に向かう方向と筐体２外に向かう方向とで切り替える放出方向切替機構１０を備えることも好適である。このようにすることで、筐体２内の脱臭、除菌、アレルゲン物質の除去、害虫忌避を行う場合と、室内空間の脱臭、除菌、アレルゲン物質の除去等を行う場合とを切り替えながら、有効成分を放出することができる。
【００１３】
上記放出方向切替機構１０は、光源３の点灯状態に基づいて有効成分の放出方向を切り替えるものであることが好適である。このようにすることで、例えば点灯時には筐体２内に有効成分を放出して害虫忌避を行い、消灯後は室内空間に向けて有効成分を放出して脱臭、除菌、アレルゲン物質の除去等を行うといったように、照明器具本体１の点灯状況に応じた方向に向けて有効成分の放出することができる。
【００１４】
ところで、有効成分を筐体２内に放出可能に設ける場合、上記照明器具本体１の筐体２には、該筐体２内を経由したうえで該筐体２外に有効成分を放出する放出口６を設けていることが好適である。このようにすることで、筐体２内の脱臭、除菌、アレルゲン物質の除去、害虫忌避に加えて、室内空間の脱臭、除菌、アレルゲン物質の除去等も行うことができる。
【００１５】
ところで、上記有効成分発生装置５０は、上記放電空間Ｓの下流側に連通する液溜め部７６と、液溜め部７６内に貯留される液体を霧化または気化させる手段とを備えたものであることも好適である。このようにすることで、有効成分を溶け込ませた液体を、霧化または気化させた状態として安定供給することができる。また、液溜め部７６内の液体によって、有効成分発生部５６を効率的に放熱させることや、有効成分の生成反応を促進させることも可能となる。
【発明の効果】
【００１６】
請求項１に係る発明は、有効成分発生部の微小な放電空間内において大量の有効成分を発生させ、送風によって下流側に順次送り出すことができ、しかも、送風によって高温の電極部を効率的に放熱させることができるので、大量の有効成分を長時間安定して発生および吐出させることができるという効果を奏する。
【００１７】
また請求項２に係る発明は、請求項１に係る発明の効果に加えて、貫通孔や隙間の組み合わせによって、放電空間を高い自由度で設定できるという効果を奏する。
【００１８】
また請求項３に係る発明は、請求項１又は２に係る発明の効果に加えて、デッドスペースを利用して有効成分発生装置を配置することができるという効果や、有効成分を外部に放出させた場合には、室内空間全体に広く拡散させることができるという効果を奏する。
【００１９】
また請求項４に係る発明は、請求項１〜３のいずれか一項に係る発明の効果に加えて、室内空気や室内壁面の付着物に対して脱臭、除菌、アレルゲン物質の除去等を行うことができるという効果を奏する。
【００２０】
また請求項５に係る発明は、請求項１〜３のいずれか一項に係る発明の効果に加えて、筐体内に対して脱臭、除菌、アレルゲン物質の除去等を行うことができるという効果や、筐体内の害虫忌避を行うことができるという効果を奏する。
【００２１】
また請求項６に係る発明は、請求項１〜３のいずれか一項に係る発明の効果に加えて、筐体内に対して脱臭、除菌、アレルゲン物質の除去、害虫忌避等を行う場合と、室内空間に対して脱臭、除菌、アレルゲン物質の除去等を行う場合とを自在に切り替えることができるという効果を奏する。
【００２２】
また請求項７に係る発明は、請求項６に係る発明の効果に加えて、例えば点灯時には筐体内の害虫忌避を行い、消灯後は室内空間の脱臭、除菌、アレルゲン物質の除去等を行うといったように、照明器具本体の点灯状況に応じて有効成分の放出方向を切り替えることができるという効果を奏する。
【００２３】
また請求項８に係る発明は、請求項１〜７のいずれか一項に係る発明の効果に加えて、有効成分を溶け込ませた液体を、霧化または気化させた状態として安定供給することができるという効果を奏する。また、有効成分発生部を効率的に放熱させるという効果や、有効成分の生成反応を促進させるという効果も奏する。
【図面の簡単な説明】
【００２４】
【図１】本発明の実施形態における第１例の照明器具を概略的に示しており、（ａ）は側面図、（ｂ）は平面図である。
【図２】同上の照明器具に備えた有効成分発生装置を概略的に示す断面図である。
【図３】（ａ）、（ｂ）、（ｃ）、（ｄ）は、同上の照明器具の変形例を示す平面図である。
【図４】本発明の実施形態における第２例の照明器具を概略的に示す側面図である。
【図５】本発明の実施形態における第３例の照明器具を概略的に示す側面図である。
【図６】（ａ）、（ｂ）、（ｃ）、（ｄ）は、同上の照明器具の変形例を示す側面図である。
【図７】本発明の実施形態における第４例の照明器具を概略的に示す側面図である。
【図８】同上の照明器具の変形例を示す側面図である。
【図９】本発明の実施形態における第５例の照明器具を概略的に示す側面図である。
【図１０】同上の照明器具に備えた有効成分発生装置を概略的に示す断面図である。
【図１１】同上の照明器具の概略的な制御ブロック図である。
【図１２】同上の照明器具での有効成分の放出方向切替制御を示すフロー図である。
【図１３】本発明に備える有効成分発生装置の変形例を示す概略断面図である。
【図１４】同上の有効成分発生装置の他の変形例を示す概略断面図である。
【図１５】同上の有効成分発生装置の他の変形例を示す概略断面図である。
【図１６】同上の有効成分発生装置の他の変形例を示す概略断面図である。
【図１７】同上の有効成分発生装置の他の変形例を示す概略断面図である。
【図１８】同上の有効成分発生装置の他の変形例を示す概略断面図である。
【図１９】同上の有効成分発生装置の他の変形例を示す概略断面図である。
【図２０】同上の有効成分発生装置の他の変形例を示す概略断面図である。
【図２１】同上の有効成分発生装置の他の変形例を示す概略断面図である。
【発明を実施するための形態】
【００２５】
本発明を添付図面に示す実施形態に基づいて説明する。図１には、本発明の実施形態における第１例の照明器具を概略的に示している。本例の照明器具の照明器具本体１は、平面視円形状の筐体２内に蛍光灯等の光源３を収納したものである。上記照明器具本体１は、図示のように天井Ｃから吊り下げた状態で使用する天井吊り下げ型照明器具本体である。
【００２６】
そして、上記照明器具本体１に、放電によって各種の有効成分を発生させることのできる有効成分発生装置５０を備えている。図１には、有効成分発生装置５０の構成を概略的に示してある。以下においては、図２に基づいて有効成分発生装置５０の詳細な構成について述べる。
【００２７】
図２に示すように、有効成分発生装置５０は、装置全体の外殻を成すケース５１の外面に吸入口５２と吐出口５３を開口させ、ケース５１内に、吸入口５２と吐出口５３を連通する有効成分発生用風路５４を貫通形成したものである。有効成分発生用風路５４内には送風部５５を上流側に配置し、有効成分発生部５６を下流側に配置している。送風部５５は専用の送風ファンから成り、該送風ファンを回転駆動させることでケース５１外の空気を吸入口５２から有効成分発生用風路５４内に導入して吐出口５３から外部に吐出する。
【００２８】
有効成分発生部５６は、微小な放電空間Ｓ内においてマイクロメータサイズの微小なプラズマ（以下「マイクロプラズマ」という。）を高密度で生じさせるものであり、円板状を成す絶縁スペーサ５７の上流側の近傍箇所に、絶縁スペーサ５７よりも小径の円板状に設けた電極部５８を配置することで構成している。絶縁スペーサ５７と電極部５８との間には、数１００μｍ程度の略均等な幅で隙間５９を介在させている。絶縁スペーサ５７の中央には、貫通孔６０を数１００μｍ程度の微小径で設けている。
【００２９】
電極部５８の材質としては、電極として好適に用いられる公知の適宜材質が採用可能であり、金属材料に限らず、導電性樹脂等の材質も用いることができる。また、絶縁スペーサ５７の材質についても適宜材質が採用可能であるが、アルミナのようなセラミック材料が好適に用いられる。
【００３０】
絶縁スペーサ５７と電極部５８の間に形成される微小幅の隙間５９は、その外周縁部分にて周囲の有効成分発生用風路５４と連通し、且つ、その中央部分にて絶縁スペーサ５７の貫通孔６０と連通している。貫通孔６０は、その上流端にて上記隙間５９と連通し、且つ、その下流端にて下流側の有効成分発生用風路５４と連通している。
【００３１】
したがって、送風部５５が発生させる送風は、図中の矢印に示すように、まず上流側の電極部５８の平板面に当たり、該電極部５８の外周面に沿って迂回した後に、上記隙間５９を通って絶縁スペーサ５７の貫通孔６０に至る流れと、絶縁スペーサ５７の外周面に沿う流れとに分流し、貫通孔６０の下流側にて合流した後に吐出口５３からケース５１の外部に吐出される。
【００３２】
電極部５８には高圧印加部６１の負極側を接続させており、高圧印加部６１によって有効成分発生部５６の電極部５８に高電圧を印加させると、絶縁スペーサ５７に設けた貫通孔６０と、絶縁スペーサ５７と電極部５８の間に形成した隙間５９の両方において、マイクロプラズマ放電が開始される。つまり、本例においては、上記隙間５９およびこれと下流側にて連通する上記貫通孔６０で、絶縁スペーサ５７に沿った微小な放電空間Ｓが形成されており、この放電空間Ｓ内において、マイクロプラズマ放電が生じるようになっている。
【００３３】
本例の有効成分発生装置５０において、有効成分を生成してケース５１の外部に送り出すには、送風部５５によって有効成分発生用風路５４内に外気を導入して有効成分発生部５６に向けて送風し、且つ、高圧印加部６１によって有効成分発生部５６の電極部５８に高電圧を印加させ、放電空間Ｓにてマイクロプラズマ放電を生じさせる。このマイクロプラズマ放電により、放電空間Ｓ（即ち、隙間５９および貫通孔６０）内において、コロナ放電等と比較して非常に高密度で有効成分が生成される。
【００３４】
送風部５５によって有効成分発生部５６に向けて送られた送風は、電極部５８の上流側を向く平板面と外周面に沿って流れ、絶縁スペーサ５７の外周縁部と当たる位置にまで送り込まれる。絶縁スペーサ５７の外周縁部に当たった送風は、その一部が隙間５９内に送り込まれ、残りの一部が絶縁スペーサ５７を迂回する流路に送り込まれる。
【００３５】
隙間５９内に送り込まれた送風は、該隙間５９と貫通孔６０から成る放電空間Ｓ内で生じた大量の有効成分を下流側に搬送させ、電極部５８と絶縁スペーサ５７の熱を奪ったうえで、貫通孔６０を通じて下流側へと送り出される。また、絶縁スペーサ５７を迂回する側に分流した送風は、絶縁スペーサ５７の熱を奪ったうえで、貫通孔６０から送り出される送風と合流し、合流後の十分な風量を伴ったうえで吐出口５３から外部へと送り出される。この十分な風量の吐出風に乗って、有効成分発生部５６のマイクロプラズマ放電によって大量生成された有効成分は外部空間に向けて勢い良く吐出される。
【００３６】
このように、本例の有効成分発生装置５０によれば、有効成分発生部５６の電極部５８と絶縁スペーサ５７を送風により効率的に放熱させながら、放電空間Ｓ内のマイクロプラズマ放電により大量の有効成分を生成することができる。しかも、ここで生じた大量の有効成分を送風により効率的に貫通孔６０内から下流側に搬送させ、絶縁スペーサ５７の外周面から熱を奪うように分流させた送風と合流させたうえで、十分な風量を伴って外部に吐出させることができる。
【００３７】
ここで生成および放出される有効成分は、例えばヒドロキシラジカル、スーパーオキサイドラジカル、硝酸イオン、窒素酸化物等である。上記各有効成分の発生バランスは、放電条件等を適宜調整することで調整可能である。例えば、ヒドロキシラジカルやスーパーオキサイドラジカルを優位に発生させて外部に放出した場合には、脱臭効果や、除菌効果、アレルゲン不活性化効果、農薬分解効果、有機物分解（汚れ除去）効果等が得られる。また、硝酸イオンや窒素酸化物を優位に発生させて外部に放出した場合には、髪や肌を弱酸性に保つという効果や、髪や肌の保水性を向上させるという効果等が得られる。
【００３８】
上記有効成分を発生させるための放電としては、数百μＡ〜数十ｍＡ程度の放電を生じさせることが好ましい。この放電により、電極部５８の温度は数十〜数百℃程度上昇することになる。これに対して、本発明では有効成分発生部５６を有効成分発生用風路５４内に配置し、送風部５５から送り込まれる送風が、有効成分発生部５６の放電空間Ｓを通過し、且つ、電極部５８の外周面を通過して迂回しながら該電極部５８の熱を奪うように設けているので、温度上昇は抑制される。
【００３９】
以上、図２に基づいて有効成分発生装置５０の詳細な構成について述べた。上記構成から成る有効成分発生装置５０は、図１に示すように、照明器具本体１の外殻を成す筐体２の外面上に設置している。図示例では、筐体２のうち、天井Ｃと対向する外面４（以下「天井対向面４」という。）上に、一対の有効成分発生装置５０を設置している。各有効成分発生装置５０は、その吐出口５３が水平方向を向くように配置している。
【００４０】
したがって、本例の照明器具においては、有効成分発生装置５０の吐出口５３から放出される各種の有効成分を、天井Ｃと筐体２の間に形成されるスペースから水平方向に放出させ、室内空間全体に拡散させることができる（図中矢印参照）。ここで、有効成分としてヒドロキシラジカル、スーパーオキサイドラジカル等を大量に放出した場合には、室内空気や室内壁面の付着物に対して、脱臭、除菌、アレルゲン物質の除去等を行うといった効果が得られる。
【００４１】
本例では、有効成分発生装置５０を筐体２の天井対向面４に一対だけ設置し、筐体２の径方向外側に向けて吐出口５３を開口させている。しかし、有効成分発生装置５０の設置数や吐出口５３の開口方向（即ち有効成分の放出方向）は、図１の場合に限定されるわけではない。
【００４２】
つまり、例えば図３（ａ）に示すように有効成分発生装置５０を一つだけ設置する構成であってもよいし、図３（ｂ）〜（ｄ）に示すように有効成分発生装置５０を三つ以上設置する構成であってもよい。有効成分発生装置５０を複数配置する場合には、周方向に略等間隔を隔てて配置することが好ましい。また、図３（ｄ）に示すように、吐出口５３の開口方向を筐体２の周方向に設けてもよい。
【００４３】
次に、本発明の実施形態における第２例の照明器具について、図４に基づいて説明する。本例の基本的な構成は第１例と同様であるから、第１例と相違する構成についてのみ以下に述べる。なお、以下の各例において、光源３については図示を省略する。
【００４４】
本例の照明器具において、有効成分発生装置５０は、筐体２の外周面のうち天井対向面４以外の箇所に設定している。具体的には、凸曲面状に形成した下面５の外周縁部分に、一対の有効成分発生装置５０を設置している。
【００４５】
一対の有効成分発生装置５０には、それぞれ筐体２の径方向外側に向けて吐出口５３を開口させている。本例においても、有効成分発生装置５０の設置数や吐出口５３の開口方向は図示の構成に限定されない。
【００４６】
次に、本発明の実施形態における第３例の照明器具について、図５に基づいて説明する。本例の基本的な構成は第１例と同様であるから、第１例と相違する構成についてのみ以下に詳述する。
【００４７】
本例の照明器具において、有効成分発生装置５０は、吐出口５３が下方を向く姿勢で天井対向面４上に配置してある。筐体２の各有効成分発生装置５０が配置される箇所には、該有効成分発生装置５０の吐出口５３と連通する導入孔（図示せず）を設けており、有効成分発生装置５０から下方に放出される有効成分が、該導入孔を通じて筐体２内に直接導入されるようになっている。
【００４８】
筐体２の天井対向面４には、有効成分発生装置５０を設置してある箇所から距離を隔てた箇所に、複数の放出口６を開口させている。ここでは、天井対向面４の中心部分に有効成分発生装置５０を配置させ、天井対向面４の外周縁部分に放出口６を開口させている。放出口６は、周方向に略等間隔を隔てて開口させることが好ましい。
【００４９】
本例の照明器具においては、有効成分発生装置５０の吐出口５３から放出される各種の有効成分を、いったん筐体２内に拡散させ、次いで、筐体２を経由したうえで各放出口６から室内空間全体に拡散させることができる。ここで、有効成分としてヒドロキシラジカル、スーパーオキサイドラジカル等を大量に放出した場合には、筐体２内の壁面や光源３等に対して脱臭、除菌、アレルゲン物質の除去等を行うといった効果や、筐体２内の害虫忌避といった効果が得られる。そして、室内空間に対しては、第１例と同様の効果が得られる。
【００５０】
なお、筐体２に放出口６を設けない構成であってもよい。この場合、有効成分発生装置５０は、筐体２内の脱臭、除菌、アレルゲン物質の除去、害虫忌避等にだけ用いられる。
【００５１】
天井対向面４上の有効成分発生装置５０の設置箇所や、放出口６の形成箇所は、図６（ａ）〜（ｄ）に示すような構成にしてもよい。図６（ａ）に示す構成は、有効成分発生装置５０を天井対向面４の中央部分に配置し、放出口６を、筐体２の下面５の外周縁部分に複数形成したものである。図６（ｂ）に示す構成は、有効成分発生装置５０を天井対向面４の中央部分に配置し、放出口６を、筐体２の下面５の外周縁と中央部との中間部分に複数形成したものである。
【００５２】
図６（ｃ）に示す構成は、有効成分発生装置５０を天井対向面４の外周縁部分に配置し、放出口６を、筐体２の下面５の中央部分に形成したものである。図６（ｄ）に示す構成は、有効成分発生装置５０を天井対向面４の外周縁部分に配置し、放出口６を、筐体２の下面５の外周縁部分に形成したものである。
【００５３】
図６（ｄ）に示す構成の場合、有効成分発生装置５０から導入される有効成分を放出口６にまで案内するガイド体７を、筐体２内に設けている。ガイド体７は、各有効成分発生装置５０から筐体２内に導入される有効成分を、該有効成分発生装置５０とは離れた箇所に形成してある放出口６にまで案内するものである。
【００５４】
次に、本発明の実施形態における第４例の照明器具について、図７に基づいて説明する。本例の基本的な構成は第３例と同様であるから、第３例と相違する構成についてのみ以下に詳述する。
【００５５】
本例の照明器具において、有効成分発生装置５０は、吐出口５３が斜め上方を向く姿勢で筐体２の下面５に配置してある。筐体２の各有効成分発生装置５０が配置される箇所には、該有効成分発生装置５０の吐出口５３と連通する導入孔（図示せず）を設けており、有効成分発生装置５０から斜め上方に放出される有効成分が、該導入孔を通じて筐体２内に直接導入されるようになっている。
【００５６】
筐体２の下面５には、有効成分発生装置５０を設置してある箇所から距離を隔てた箇所に、複数の放出口６を開口させている。ここでは、筐体２の下面５における外周縁と中央部との中間部分に有効成分発生装置５０を複数配置し、該下面５の外周縁部分に複数の放出口６を開口させている。
【００５７】
したがって、本例の照明器具においては、有効成分発生装置５０の吐出口５３から斜め上方に放出される各種の有効成分を、筐体２を経由したうえで各放出口６から水平方向に放出させ、室内空間全体に拡散させることができる。ここで、有効成分としてヒドロキシラジカル、スーパーオキサイドラジカル等を大量に放出した場合には、第３例にて上記した効果と同様の効果が得られる。
【００５８】
有効成分発生装置５０の設置箇所や放出口６の形成箇所は、図８に示すような構成にしてもよい。図８に示す構成は、有効成分発生装置５０を下面５の外周縁部分に配置し、放出口６を、該下面５の中央部分に形成したものである。図８に示す構成以外にも、適宜変更が可能であることは勿論である。
【００５９】
次に、本発明の実施形態における第５例の照明器具について、図９〜図１２に基づいて詳述する。本例の照明器具に設置する有効成分発生装置５０には、有効成分を放出する方向を切り替え可能とする放出方向切替機構１０を設けている。
【００６０】
放出方向切替機構１０としては、例えば、下記のような構成を備える。即ち、図１０に示すように、有効成分発生用風路５４の有効成分発生部５６よりも下流側を二手に分岐させ、分岐した一方と他方のそれぞれの下流端に吐出口５３ａ，５３ｂを形成する。一方の吐出口５３ａは、照明器具本体１の筐体２外に向けて有効成分を放出するものであり、他方の吐出口５３ｂは、照明器具本体１の筐体２内に向けて有効成分を放出するものである。
【００６１】
有効成分発生用風路５４の分岐箇所には、流路を切り替えるための手段として可動式隔壁１１を備えている。可動式隔壁１１の位置は駆動モータ（図示せず）により切替自在であり、図１０に実線で示す位置あるときは有効成分を一方の吐出口５３ａから筐体２外に放出させ、図１０に想像線で示す位置にあるときは有効成分を他方の吐出口５３ｂから筐体２内に放出させる。
【００６２】
上記構成から成る放出方向切替機構１０を有する本例の有効成分発生装置５０は、例えば筐体２の天井対向面４に設置する（図９参照）。このとき、一方の吐出口５３ａが水平方向（筐体２の径方向外側）にむけて開口し、他方の吐出口５３ｂが下方にむけて開口するように設置する。他方の吐出口５３ｂは、筐体２の天井対向面４に設けた導入孔（図示せず）と連通し、該導入孔を通じて有効成分を筐体２内に直接導入する。筐体２の下面５の中央部分には、放出口６を設けている。
【００６３】
放出方向切替機構１０は、照明器具本体１に備える制御部１５によって、放出方向を切り替えるように制御される。図１１に示すように、上記制御部１５は、照明器具本体１と有効成分発生装置５０の運転を制御するとともに、光源３の点灯を検知するように設けてある点灯検知部１６の検知結果に基づいて、放出方向切替機構１０（即ち、可動式隔壁１１の位置を変更する駆動モータ）を制御する。
【００６４】
図１２に示すように、光源３が点灯状態になると、制御部１５は点灯検知部１６からの検知信号に基づいてこれを検知し、筐体２側を向く吐出口５３ｂが有効成分発生部５６とつながるように放出方向切替機構１０を切り替え、高電圧印加によりマイクロプラズマ放電を開始させる。通常、照明点灯時には外部から筐体２内に害虫が侵入するおそれが高くなるが、放電で生じる各種有効成分を筐体２内に放出しておくことで、特に害虫忌避が効果的に行われる。また、筐体２内の脱臭、除菌等の効果や、室内空間の空気や壁面等の付着物に対する脱臭、除菌等の効果も得られる。
【００６５】
そして、照明器具本体１の光源３が消灯されると、制御部１５は点灯検知部１６によって光源３が消灯状態にあることを検知し、筐体２外を向く吐出口５３ａが有効成分発生部５６とつながるように放出方向切替機構１０を切り替え、高電圧印加によりマイクロプラズマ放電を開始（若しくはマイクロプラズマ放電を継続）させる。放電で生じる各種有効成分を外部に直接放出して拡散させることで、室内空間の空気や壁面等の付着物に対して、効果的に脱臭、除菌等を行うことができる。
【００６６】
有効成分発生装置５０の運転は、点灯時、消灯時ともに連続運転するように設けてもよいし、点灯時と消灯時の一方又は両方において間欠運転を行うように設けてもよい。なお、放出方向切替機構１０を手動で切り替え可能に設けても構わない。
【００６７】
ところで、上記した第１〜第５例の照明器具においては、有効成分発生部５６を、電極部５８の下流側に微小幅の隙間５９を空けて絶縁スペーサ５７を配置し、絶縁スペーサ５７の中央に微小径の貫通孔６０を設けることで形成している（図２参照）。しかし、有効成分発生部５６の構成はこれに限定されるわけではなく、各種の変形例が適宜採用可能である。
【００６８】
本発明の有効成分発生装置５０で用いる有効成分発生部５６としては、電極部５８と、電極部５８に密着して又は近傍に配置される絶縁スペーサ５７とを備え、電極部５８に高電圧を印加することで、絶縁スペーサ５７に沿って形成される微小な放電空間Ｓ内において放電を生じさせるものであればよい。上記放電空間Ｓは、絶縁スペーサ５７自体に設けた微小径の貫通孔６０であってもよいし、絶縁スペーサ５７と電極部５８の間に設けた微小幅の隙間５９であってもよい。また、上記の貫通孔６０と隙間５９の両方で放電空間Ｓを形成するものであってもよい。
【００６９】
以下においては、有効成分発生装置５０の各種の変形例について、図１３〜図２１に基づいて説明する。但し、図２に示す有効成分発生装置５０や他の変形例と同様の構成については、詳しい説明を省略する。
【００７０】
図１３に示す変形例では、電極部５８においてもその中央に貫通孔６２を形成している。電極部５８側の貫通孔６２は、該電極部５８と絶縁スペーサ５７の間にある隙間５９を介して、絶縁スペーサ５７側の貫通孔６０と一直線上に並ぶように形成している。また、電極部５８と絶縁スペーサ５７とは、略同径の円板状に形成している。
【００７１】
図１３の変形例によれば、電極部５８の貫通孔６２を通じて放電空間Ｓを成す貫通孔６０にまで直接的に風を送り込むことができる。したがって、放電空間Ｓで生成した有効成分を外部に向けて大量に且つ勢いよく放出することができるという利点がある。また、貫通孔６２を通過する送風によって電極部５８の熱を更に効果的に奪うことができるという利点もある。
【００７２】
なお、絶縁スペーサ５７と電極部５８の間に隙間５９を設けず、両者５７，５８を密着させた構成にしてもよい。この場合には、電極部５８と密着した絶縁スペーサ５７が、放熱フィンのようにも機能する。
【００７３】
図１４に示す変形例は、電極部５８においてその中心部を囲む複数箇所に貫通孔６２を形成している点で、図１３に示す変形例とは相違している。電極部５８側のそれぞれの貫通孔６２は、絶縁スペーサ５７側の貫通孔６２と一直線上に並ばないように、有効成分発生用風路５４の軸方向からみて位置をずらして形成している。図１４の変形例によれば、上流からの送風が電極部５８の複数の貫通孔６２を通過し、更に隙間５９を通って迂回したうえで絶縁スペーサ５７の貫通孔６０を通過するので、送風によって電極部５８や絶縁スペーサ５７の熱を効率的に奪うことができるという利点がある。なお、電極部５８の熱を更に効率的に奪うために、該電極部５８を、貫通孔６２を多数有する網状のものに形成することも好ましい。
【００７４】
図１５に示す変形例は、絶縁スペーサ５７と電極部５８において、共に複数の貫通孔６０，６２を設けている点で、図１３に示す変形例とは相違している。絶縁スペーサ５７側の貫通孔６０と電極部５８側の貫通孔６２とは、１対１で、隙間５９を介して一直線上に並ぶように形成している。図１５の変形例によれば、放電空間Ｓとして複数の貫通孔６０を利用できるので全体の有効成分生成量を増大させることができ、しかも、各貫通孔６０には電極部５８の各貫通孔６２を通じて直接的に風を送り込むことができる。したがって、外部に向けて有効成分を大量に且つ勢いよく放出することができるという利点がある。
【００７５】
なお、図１５の変形例においても、電極部５８と絶縁スペーサ５７を密着させた構成にした場合には、絶縁スペーサ５７を放熱フィンのように機能させることができる。
【００７６】
図１６に示す変形例は、絶縁スペーサ５７に複数の貫通孔６０を設けている点と、各貫通孔６０の位置を、電極部５８側の貫通孔６２と一直線上に並ばないように有効成分発生用風路５４の軸方向からみてずらして形成している点で、図１３に示す変形例とは相違している。図１６の変形例によれば、放電空間Ｓとして複数の貫通孔６０を利用できるので全体の有効成分生成量を増大させることができる。また、電極部５８の貫通孔６２を通過した送風は、隙間５９を通って迂回したうえで絶縁スペーサ５７の各貫通孔６０を通過するので、送風によって電極部５８や絶縁スペーサ５７の熱を更に効率的に奪うことができる。
【００７７】
図１７に示す変形例は、板状の絶縁スペーサ５７の厚み方向の両側に、同じく板状である金属製の電極部５８を密着配置したものであり、絶縁スペーサ５７を一対の電極部５８で挟み込んだ構造となっている。一対の電極部５８は高圧印加部６１を介して電気接続させており、両電極部５８間に高電圧が印加されるようになっている。絶縁スペーサ５７および電極部５８には、それぞれ厚み方向に貫通する貫通孔６０，６２を同一開口形状で設けている。絶縁スペーサ５７と電極部５８の上記密着配置により、絶縁スペーサ５７の貫通孔６０と両側の電極部５８の貫通孔６２とが、厚み方向に一直線状に連通している。上記貫通孔６０，６２の孔径Ｄはともに数１００μｍ程度である。
【００７８】
また、有効成分発生用風路５４の有効成分発生部５６が配置される部分には、第１流路Ｒ１と第２流路Ｒ２とを分岐させて形成している。第１流路Ｒ１は、上流側から送り込まれる送風の一部を上記有効成分発生部５６の貫通孔６０，６２内に導入し、該貫通孔６０，６２内を通過させた後に下流側に吐出させるものである。第２流路Ｒ２は、上流側から送り込まれる送風の他部（即ち、有効成分発生部５６に送り込まれる送風全体のうち第１流路Ｒ１に流入した分を除く部分）を両側の電極部５８の外周面に沿って迂回するように流したうえで、下流側に吐出させるものである。
【００７９】
第１流路Ｒ１と第２流路Ｒ２との分岐部分には、第１流路Ｒ１と第２流路Ｒ２に流入する送風の割合を可変するための調整弁６３を備えている。上記調整弁６３は、第１流路Ｒ１に流入する送風の流量を略一定量に保持するように適宜制御される。
【００８０】
第１流路Ｒ１と第２流路Ｒ２とは、隔壁部６４により仕切っている。隔壁部６４は、第１流路Ｒ１の上流側部分（つまり、分岐部分から貫通孔６０，６２内にまで送風を導く部分）とこれに並設される第２流路Ｒ２の上流側部分とを仕切る管状の隔壁６４ａと、第１流路Ｒ１の下流側部分（つまり、貫通孔６０，６２から吐出された送風を合流部分にまで導く部分）とこれに並設される第２流路Ｒ２の下流側部分とを仕切る同じく管状の隔壁６４ｂと、から成る。両隔壁６４ａ，６４ｂはその端部を電極部５８の平板面に密着させて設置している。
【００８１】
図１７の変形例において、高圧印加部６１により一対の電極部５８間に高電圧を印加させると、絶縁スペーサ５７の貫通孔６０から成る放電空間Ｓ内でマイクロプラズマ放電が開始され、高密度で有効成分が生成される。
【００８２】
ここで、第１流路Ｒ１の上流側部分を通って有効成分発生部５６の貫通孔６０，６２内にまで一直線状に導入された送風は、貫通孔６０から成る放電空間Ｓ内において高密度で生成される有効成分を、下流側に搬出させる。他方、第２流路Ｒ２の上流側部分を通って導入された送風は、上流側の電極部５８の平板面および外周面、絶縁スペーサ５７の外周面、下流側の電極部５８の外周面および平板面に沿って側面視コ字状に回り込むように流下し、両電極部５８の熱を奪った後に、下流側に放出される。
【００８３】
このとき、第１流路Ｒ１に流入する送風の流量を略一定量に保持するように調整弁６３の開口を制御することで、貫通孔６０内のマイクロプラズマ放電は全体の風量に影響されることなく安定的に行われる。
【００８４】
図１８に示す変形例は、絶縁スペーサ５７と上流側および下流側の電極部５８との間に、数１００μｍ程度の略均等な幅で隙間５９を介在させている点と、下流側の電極部５８の貫通孔６２を、絶縁スペーサ５７や上流側の電極部５８の貫通孔６０，６２よりも十分に大きな口径で設けている点と、隔壁部６４や調整弁６３を設けていない点において、図１７に示す変形例とは相違している。
【００８５】
有効成分発生用風路５４に送り込まれた送風は、まず上流側の電極部５８の平板面と当たる部分において、上流側の電極部５８の貫通孔６２を通って絶縁スペーサ５７の貫通孔６０に至る流れと、上流側の電極部５８の外周面に沿って迂回する流れとに分流する。絶縁スペーサ５７の貫通孔６０を通過した流れは、下流側の電極部５８に設けた大径の貫通孔６２を通じて更に下流側へと送り出される。上流側の電極部５８の外周面に沿って迂回した流れは、絶縁スペーサ５７の外周面と下流側の電極部５８の外周面に沿って更に下流側へと送り出された後に、下流側の電極部５８の貫通孔６２を通過した流れと合流する。
【００８６】
また、上流側の電極部５８の外周面に沿って送り出された流れの一部は、上流側の電極部５８と絶縁スペーサ５７との間にある隙間５９を通じて、絶縁スペーサ５７の貫通孔６０に送り込まれる。また、上流側の電極部５８の外周面からそのまま絶縁スペーサ５７の外周面に沿って送り出された流れの一部は、絶縁スペーサ５７と下流側の電極部５８との間にある隙間５９を通じて、下流側の電極部５８の貫通孔６２に送り込まれる。
【００８７】
図１８に示す変形例において、一対の電極部５８間に高電圧を印加させると、絶縁スペーサ５７に設けた貫通孔６０と、該絶縁スペーサ５７と上流側の電極部５８の間に形成した隙間５９と、該絶縁スペーサ５７と下流側の電極部５８の間に形成した隙間５９において、マイクロプラズマ放電が開始される。つまり、絶縁スペーサ５７の貫通孔６０と、上流側および下流側の隙間５９とで、絶縁スペーサ５７に沿った微小な放電空間Ｓが形成されている。下流側の電極部５８の貫通孔６２は上記のように大径に設けているので、この放電空間Ｓで生成した有効成分が下流側の電極部５８に付着することは抑制されている。
【００８８】
図１９に示す変形例は、絶縁スペーサ５７と上流側の電極部５８を密着させている点において、図１８に示す変形例とは相違している。図１９の変形例においては、絶縁スペーサ５７の貫通孔６０と、絶縁スペーサ５７と下流側の電極部５８との間にある隙間５９とで、絶縁スペーサ５７に沿った微小な放電空間Ｓが形成されている。
【００８９】
なお、放電空間Ｓを成す隙間５９を、絶縁スペーサ５７と上流側の電極部５８との間に設け、下流側の電極部５８は絶縁スペーサ５７と密着するように設けてもよい。この場合であっても、放電空間Ｓで生じる大量の有効成分を下流側に搬送し、且つ、有効成分発生部５６の熱を効率的に奪うことができる。
【００９０】
図２０に示す変形例は、図１７に示す変形例において更に、下流側の電極部５８の下流端と連通するように液溜め部７６を配置し、更に、液溜め部７６内に液体を供給する液供給手段６６と、液溜め部７６内の液体を霧化する霧化部６７とを備えたものである。なお、図１８に示す変形例と同様に、隔壁部６４や調整弁６３は備えていない。
【００９１】
上記液供給手段６６は、結露水が生じる冷却面６８を有する冷却装置６９と、該冷却面６８と液溜め部７６との間に配置される液供給管７０とから成る。冷却装置６９は、複数設けてあるペルチェ素子７１の放熱側に放熱フィン７２を接続させ、該ペルチェ素子７１の冷却側に冷却板７３を接続させた構造である。
【００９２】
有効成分発生用風路５４中には、有効成分発生部５６を迂回した後に下流側で合流する冷却風路７４を分岐させて設けている。上記冷却装置６９の冷却板７３は、冷却風路７４中に露出させてある。上記冷却装置６９の放熱フィン７２は、有効成分発生用風路５４中の冷却風路７４を分岐させた箇所よりも下流側であり且つ有効成分発生部５６よりも上流側の箇所に、露出させてある。
【００９３】
冷却面６８は冷却板７３の表面に形成したものであり、空気中の水分をもとにして冷却面６８上に生成した結露水を、液供給管７０を介して同じく管状の液溜め部７６にまで順次供給するようになっている。図示例では、液供給管７０と液溜め部７６とを、クランク型の一連の管状に形成してあるが、液供給管７０の代わりに、フェルト等の繊維状の部材や、発泡性材料やセラミックから成る多孔質部材を配置して液体を搬送するように設けてもよい。また、液溜め部７６をタンク状に設けてもよい。更に、液供給手段６６の構成を、シリカゲルやゼオライト等の吸湿剤を用いて空気中の水分を回収および放出させるといった、他の構成にしてもよい。
【００９４】
上記霧化部６７は超音波振動子７５を有したものであり、液溜め部７６から供給された液体を超音波振動により霧化させたうえで外部に放出するようになっている。なお、霧化部６７としては上記構成に限定されず、表面弾性波を利用して霧化させる構造、加圧して壁面に叩き付ける構造、ポンプを用いてスプレー状に噴霧させる構造、静電霧化を利用する構造（図２１に基づいて後述する変形例を参照）等の、他の構造であってもよい。また、霧化部６７に替えて、液溜め部７６内の液体を風や熱を利用して気化させたうえで外部に放出させる気化部を備えてもよい。
【００９５】
図２０の変形例においては、有効成分発生部５６の放電空間Ｓ（貫通孔６０）内で生成した有効成分が液溜め部７６内に直接的に送り込まれ、液溜め部７６内の液体に有効成分を溶解させた後に、霧化部６７にて霧化させる。つまり、有効成分が濃縮して溶解された状態のミストＭが、外部に向けて放出される。
【００９６】
ここで、有効成分として生成されたスーパーオキサイドラジカルやヒドロキシラジカルが水に溶解した場合には、過酸化水素水が生成される。したがって、外部に放出されるミストＭは過酸化水素水を含むミストとなり、脱臭や除菌等の効果を発揮する。また、有効成分として生成された硝酸イオンや窒素酸化物が水に溶解した場合には、硝酸が生成される。したがって、外部に放出されるミストＭは硝酸を含むミストとなる。つまり、放電空間Ｓで生じる上記有効成分を液中に直接送り込み、溶解させることで、結露水から成る該液を、脱臭や除菌等の効果を発揮するものに改質することができる。
【００９７】
また、有効成分発生部５６の下流側に液溜め部７６を配置して密着させたことにより、放電により加熱された電極部５８や絶縁スペーサ５７を冷却するという効果も得られる。なお、貫通孔６０，６２は非常に微小径であるため、液溜め部７６内の液体が貫通孔６０，６２内に浸入することは防止される。
【００９８】
また、放電空間Ｓの下流側の直近傍に液溜め部７６が存在することにより、有効成分の生成反応を大幅に促進させるという効果も得られる。というのも、放電空間Ｓ側から送り出される空気で液溜め部７６内には微細な気泡が発生し、この放電空間Ｓ近傍の気泡内では放電が生じる。この微細気泡内の放電部分において、周囲の液体の水分が供給されることにより有効成分の生成反応が促進されるのである。
【００９９】
ここで促進される生成反応として具体的には、高エネルギー下で酸素分子（Ｏ２）に水分子（Ｈ２Ｏ）を反応させてヒドロキシラジカル（・ＯＨ）を生成するといった反応が考えられる。また、窒素分子（Ｎ２）やこれから発生する各種成分と、水分子（Ｈ２Ｏ）が反応することで、ヒドロキシラジカル（・ＯＨ）を生成する反応も考えられる。更に、これらの反応促進に伴って、ヒドロキシラジカル（・ＯＨ）から過酸化水素（Ｈ２Ｏ２）を生成する反応も促進されると考えられる。
【０１００】
図示例では絶縁スペーサ５７の両側に電極部５８を配置しているが、片側にだけ（例えば上流側にだけ）電極部５８を配置する構成であってもよい。この場合であっても、絶縁スペーサ５７の貫通孔６０と連通するように液溜め部７６を備えることで、該液溜め部７６内に有効成分を直接送り込んで溶解させることができる。
【０１０１】
ところで、図２０の変形例においては、放電空間Ｓの下流側に液溜め部７６を配置して気泡を送り込むといった構成によって、有効成分の生成を促進させるように設けているが、他の構成を採用することによって放電部分に水を供給し、有効成分の生成反応を促成させることもできる。
【０１０２】
採用可能な他の構成としては、適宜の搬送手段によって、有効成分発生用風路５４の絶縁スペーサ５７より上流側と下流側の一方の箇所（または両方の箇所）に向けて水分を搬送するといった構成が挙げられる。上記搬送手段は、例えばフェルト等の搬送体を介して、照明器具本体１内に設置してある適宜の水タンク内の水分を搬送するといった手段が挙げられる。水タンクの代わりに、結露水を生成させるといった構成でもよい。この場合、結露水を放電空間Ｓ近傍にまで搬送体を介して順次搬送し、放電部分に継続的に水分を供給する。
【０１０３】
ここで、絶縁スペーサ５７よりも上流側であり且つ放電空間Ｓの直近傍となる箇所にまで水を搬送した場合には、搬送された水分は風圧によって放電空間Ｓ内の放電部分にまで順次供給され、有効成分の生成反応を大幅に促進させるように作用する。ここで促進される生成反応は、上記反応と同様の反応である。
【０１０４】
また、絶縁スペーサ５７よりも下流側であり且つ放電空間Ｓの直近傍となる箇所にまで水を搬送した場合には、搬送された水分は、風圧によって放電空間Ｓから下流側に広がった放電部分に順次供給され、有効成分の生成反応を大幅に促進させるように作用する。
【０１０５】
図２１に示す変形例は、液溜め部７６内にある液体を霧化させるための手段として、静電霧化現象を利用している点において、図２０に示す変形例とは相違している。
【０１０６】
この変形例の場合、絶縁スペーサ５７の上流側に電極部５８を密着配置するとともに、該絶縁スペーサ５７の下流側にはタンク型の液溜め部７６を密着配置させ、絶縁スペーサ５７の貫通孔６０の下流端を、液溜め部７６内に連通させている。上流側の電極部５８と対を成す下流側の電極部５８は、液溜め部７６内に配置しており、液溜め部７６内に貯留される液体を介して一対の電極部５８間に電圧を印加し、絶縁スペーサ５７の貫通孔６０内にてマイクロプラズマ放電を生じるようになっている。
【０１０７】
また、図２１の変形例では、液溜め部７６内の下流側の電極部５８が、静電霧化用の電極を兼ねている。液溜め部７６からは、液溜め部７６内の液体を静電霧化用に順次供給するための液搬送部７７を突設しており、毛細管現象によって液搬送部７７の先端にまで搬送された液体に対して、液溜め部内の電極部５８が静電霧化用の高電圧を印加するようになっている。
【０１０８】
液搬送部７７の先端に搬送された液体は、高電圧印加によってテイラーコーンを生じ、静電霧化現象によって弾けるように多量のミストＭを順次発生させる。このように、霧化部６７として、液溜め部７６内の液体を静電霧化により霧化させる構成を採用することで、有効成分が溶解した液体を、ナノメータサイズを含む非常に小さな粒径であり且つ帯電したミストＭとして、外部に放出できるといった利点がある。なお、静電霧化用の電極として下流側の電極部５８を兼用するのではなく、専用の電極を設けてあってもよい。
【０１０９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【０１１０】
１  照明器具本体
２  筐体
３  光源
４  天井対向面
６  放出口
１０  放出方向切替機構
５０  有効成分発生装置
５４  有効成分発生用風路
５６  有効成分発生部
５７  絶縁スペーサ
５８  電極部
５９  隙間
６０  貫通孔
Ｓ  放電空間
【図１】
2010198874.tif 000003
【図２】
2010198874.tif 000004
【図３】
2010198874.tif 000005
【図４】
2010198874.tif 000006
【図５】
2010198874.tif 000007
【図６】
2010198874.tif 000008
【図７】
2010198874.tif 000009
【図８】
2010198874.tif 000010
【図９】
2010198874.tif 000011
【図１０】
2010198874.tif 000012
【図１１】
2010198874.tif 000013
【図１２】
2010198874.tif 000014
【図１３】
2010198874.tif 000015
【図１４】
2010198874.tif 000016
【図１５】
2010198874.tif 000017
【図１６】
2010198874.tif 000018
【図１７】
2010198874.tif 000019
【図１８】
2010198874.tif 000020
【図１９】
2010198874.tif 000021
【図２０】
2010198874.tif 000022
【図２１】
2010198874.tif 000023